(57)【要約】【課題】蓋付き容器を囲むように設けられた筒状の熱収縮性フィルムが複数回加熱されても、その熱収縮（二次収縮）によって、蓋付き容器が変形することがないようにする。【解決手段】食材が収容された容器本体２１の開口を蓋体２５で閉塞した蓋付き容器２０を囲むように設けられた状態で複数回加熱される蓋付き容器の包装材において、１回目の加熱収縮で蓋付き容器２０に密着する長さを有する帯状の熱収縮性フィルムで構成すると共に、両端部を接続して筒状に形成し、２回目の加熱収縮で切断される切断部５を周方向に対して直交する方向に形成すると共に、切断部５に跨って、非熱収縮性フィルムから構成される接続片１０を設け、切断部５が蓋付き容器２０の平面に位置するように、蓋付き容器２０の角部に引っ掛けられる引掛凹部３，４を形成する。【選択図】図１
2010265022.tif 000002
【特許請求の範囲】
【請求項１】
食材が収容された容器本体（２１）の開口を蓋体（２５）で閉塞した蓋付き容器（２０）を囲むように設けられた状態で複数回加熱される蓋付き容器の包装材において、
１回目の加熱収縮で蓋付き容器（２０）に密着する長さを有する帯状の熱収縮性フィルムで構成されると共に、両端部が接続されて筒状に形成され、しかも、２回目の加熱収縮で切断される切断部（５）が周方向に対して直交する方向に形成されると共に、該切断部（５）に跨って接続片（１０）が設けられることを特徴とする蓋付き容器の包装材。
【請求項２】
前記切断部（５）が蓋付き容器（２０）の平面に位置するように、蓋付き容器（２０）の角部に引っ掛けられる引掛凹部（３，４，３０，４０）が形成されることを特徴とする請求項１に記載の蓋付き容器の包装材。
【請求項３】
前記接続片（１０）は、熱収縮性又は非熱収縮性フィルムから構成されることを特徴とする請求項１又は２に記載の蓋付き容器の包装材。
【発明の詳細な説明】
【技術分野】
【０００１】
本発明は、持帰り用の弁当、麺類、グラタンその他の食品を包装するための蓋付き容器の包装材に関する（以下、単に包装材という場合もある）。
【背景技術】
【０００２】
従来のこの種の蓋付き容器の包装材としては、例えば、嵌合している容器本体と蓋体の少なくとも両周側面部分外周が、筒状の熱収縮性フィルムによって一体包被されているものが公知になっている（特許文献１参照）。したがって、容器本体および蓋体の周側面部分に凹凸が形成されていても、前記熱収縮性フィルムは、周側面部分に密着して、容器本体と蓋体との嵌合が維持されるように構成されている。
【先行技術文献】
【特許文献】
【０００３】
【特許文献１】実開平５−１０２７１号公報
【発明の概要】
【発明が解決しようとする課題】
【０００４】
しかしながら、従来の蓋付き容器の包装材の場合、食品工場において、食材が収容された容器本体の開口部を蓋体で閉塞した蓋付き容器に、前記帯封を余裕をもって囲繞した後、軽く加熱されて加熱収縮することにより、蓋付き容器に密着した状態に巻き付けて、蓋体が容器本体から外れないようにして出荷している。このため、コンビニエンスストアなどの店舗において、弁当を温め直す際、蓋付き容器体に帯封が密着して巻き付いていると、加熱された帯封が収縮しすぎ、蓋付き容器が括れた状態に変形してしまうという問題がある。
【０００５】
そこで、本発明は、上記問題を鑑み、蓋付き容器を囲むように設けられた筒状の熱収縮性フィルムが複数回加熱されても、その熱収縮（二次収縮）によって、蓋付き容器が変形することがないようにすることができる蓋付き容器の包装材を提供することを課題とする。
【課題を解決するための手段】
【０００６】
本発明に係る蓋付き容器の包装材は、食材が収容された容器本体２１の開口を蓋体２５で閉塞した蓋付き容器２０を囲むように設けられた状態で複数回加熱される蓋付き容器用包装材において、１回目の加熱収縮で蓋付き容器２０に密着する長さを有する帯状の熱収縮性フィルムで構成されると共に、両端部が接続されて筒状に形成され、しかも、２回目の加熱収縮で切断される切断部５が周方向に対して直交する方向に形成されると共に、該切断部５に跨って接続片１０が設けられることを特徴とする。
【０００７】
この場合、１回目の加熱収縮で蓋付き容器２０に密着する長さを有する帯状の熱収縮性フィルムの両端部が接続されて筒状に形成されると共に、周方向に対して直交する方向に切断部５が形成されているので、該熱収縮性フィルムは、切断部５と接続部３とによって、長めの帯状の領域と短めの帯状の領域とに区分される。そして、各領域は、１回目の加熱収縮の際、接続部３において同一方向に収縮する一方、切断部５において、互いに反対方向に収縮することになり、蓋付き容器２０に密着することになる。一方、２回目の加熱収縮によって、さらなる熱収縮が各領域に生じることで、切断部５が切断される。この際、各領域が分断されて２つの帯状部が形成される。この際、各帯状部は、一方の各端部が接続片１０によって所定の間隔をおいて接続されると共に、他方の各端部が接続部３によってその接続が維持されている。このため、分断された状態の帯状部が個別に熱収縮することになり、蓋付き容器２０を変形させるような過大な収縮はなく、各帯状部が蓋付き容器２０にきれいに密着することになる。
【０００８】
また、本発明によれば、前記切断部５が蓋付き容器２０の平面に位置するように、蓋付き容器２０の角部に引っ掛けられる引掛凹部３，４，３０，４０を形成するような構成を採用することもできる。
【０００９】
この場合、蓋付き容器２０の角部に引掛凹部３，４，３０，４０を引っ掛けることで、切断部５が蓋付き容器２０の平面に位置することになる。これによって、各帯状部の熱収縮が平面にて行われるようになるので、切断部５を切断する力が略均等に作用するようになり、円滑に切断される。即ち、熱収縮性フィルムの熱収縮によって、蓋付き容器２０が変形することが防止される。
【００１０】
また、本発明によれば、前記接続片１０を、熱収縮性又は非熱収縮性フィルムから構成するようにしてもよい。
【００１１】
接続片０が熱収縮性を有する場合は、接続片１０自体が収縮しつつも、各帯状部が所定の間隔をおいて収縮するので、蓋付き容器２０を変形させるような過大な収縮はなく、接続片０も蓋付き容器２０に密着するようになり、蓋体２５と容器本体２１との嵌合が確実に維持される。また、接続片１０が非熱収縮性を有する場合は、接続片１０によって、各帯状部の所定の間隔が維持されつつ、各帯状部の熱収縮性が行われるので、蓋体２５と容器本体２１との嵌合を維持しつつ、各帯状部が蓋付き容器２０にきれいに密着することになる。
【発明の効果】
【００１２】
以上説明したように、本発明によれば、１回目の加熱収縮で蓋付き容器に密着する長さを有する帯状の熱収縮性フィルムで構成すると共に、両端部を接続して筒状に形成し、しかも、２回目の加熱収縮で切断される切断部を周方向に対して直交する方向に形成するようにしたので、２回目の熱収縮において生じる、各接続部と切断部とにおける熱収縮作用によって、筒状部が、２つの帯状部に分断されて、各帯状部がそれぞれ独立して熱収縮が行われるようになり、蓋付き容器に対する過大な収縮作用を回避することができると共に、蓋付き容器にきれいに密着させることができる。
【図面の簡単な説明】
【００１３】
【図１】本発明の一実施形態に係る蓋付き容器の包装材を示す斜視図。
【図２】図１の包装材を、蓋付き容器を囲むように設けた加熱前の状態を示す概略断面図。
【図３】図２の状態において、１回目の加熱を行って包装材を熱収縮させた状態を示す概略断面図。
【図４】図３の状態において、２回目の加熱を行って包装材を熱収縮させた状態を示す断面図。
【図５】両側に折り目が形成された包装材を示す断面図。
【図６】接続片の変形例を示す断面図。
【図７】摘みが形成された包装材を示す斜視図。
【発明を実施するための形態】
【００１４】
本発明に係る蓋付き容器の包装材の一実施形態について HYPERLINK "http://www8.ipdl.inpit.go.jp/Tokujitu/tjitemdrw.ipdl?N0000=235&N0500=4E#N/;%3e7%3c=%3e:%3c%3c///&N0001=13&N0552=9&N0553=000003" \t "tjitemdrw" 図１〜 HYPERLINK "http://www8.ipdl.inpit.go.jp/Tokujitu/tjitemdrw.ipdl?N0000=235&N0500=4E#N/;%3e7%3c=%3e:%3c%3c///&N0001=13&N0552=9&N0553=000006" \t "tjitemdrw" 図４を参照しつつ説明する。なお、これらの図において、食材の図示は省略してある。
【００１５】
本実施形態に係る蓋付き容器の包装材を説明する前に、蓋付き容器について簡単に説明する。該蓋付き容器２０は、上面が開口された直方体形状の容器本体２１と、該上面開口を閉塞した蓋体２５とを備えている。そして、容器本体２１は、上面開口部の周縁部に、折り曲げて形成された嵌合凸部２２が形成されている。蓋体２５は、容器本体２１の嵌合凸部２２に嵌合する嵌合凹部２６が周縁部に形成されている。この凹凸嵌合によって、容器本体２１と蓋体２５は気密に閉塞されている。なお、蓋付き容器２０は、図示に限定されるものではなく、例えば、平面視円形状、非円形状であってもよい。また、蓋付き容器２０には、食材が収容されているものとする。
【００１６】
つぎに本実施形態に係る包装材について説明する。該包装材１は、図１及び図２に示すように、蓋付き容器２０を囲むように、即ち、蓋体２５の上面（平面部）、容器本体２１の側面部及び底面部の外方に余裕を持って略筒状に設けられる。この余裕は、包装材１の他端部に形成される折り返し片２によって構成されている。該折り返し片２は、内側に向かう第一折り返し片２ａと、該第一折り返し片２ａから外側に向く第二折り返し片２ｂとを備えている。そして、該第二折り返し片２ｂの端部が、包装材１の一端部に熱シールされて接続されている。この接続部３は、蓋体２５の一方の角部に位置するようになっており、蓋体２５の一方の角部に引っ掛けられる引掛凹部にもなっている。また、前記接続部（引掛凹部）３の反対側に、接続部３に平行するように折り目４が形成されている。この折り目４は、蓋体２５の他方の角部に位置して、該角部に引っ掛けられる引掛凹部になっている。
【００１７】
包装材１に余裕を持たせる理由としては、食品工場などで、１回目の加熱を行う際、即ち経路上を所定温度以上に加熱するシュリンクトンネルに蓋付き容器２０の通過させる際に、熱収縮する包装材１を蓋付き容器２０にきれいに密着させるためである。つまり、包装材１は、１回目の加熱によって熱収縮する際、蓋付き容器２０に密着する長さを有していることになる。
【００１８】
また、包装材１は、熱収縮性を有する単一な帯状のフィルムで構成されると共に、両端部が熱シールによって接続されて筒状に形成されている。包装材１の素材としては、例えば、ポリエチレン（ＰＥ）、ポリ塩化ビニリデン（ＰＶＤＣ）、ポリプロピレン（ＰＰ）、ポリエチレンテレフタレート（ＰＥＴ）などの延伸フィルムが採用される。
【００１９】
また、包装材１は、２回目の加熱、即ちコンビニエンスストアなどの店舗において、電子レンジなどで再加熱される際、この加熱による熱収縮で切断される切断部５が周方向に対して直交する方向に形成されると共に、該切断部５に跨って接続片１０が設けられている。
【００２０】
切断部５は、ミシン目で構成され、周方向に対して直交する方向に直線状に形成されると共に、蓋体２５の短手方向の中心線に沿うように形成されている。
【００２１】
接続片１０は、内側に向かう第一折り返し片１０ａと、該第一折り返し片１０ａから外側に向く第二折り返し片１０ｂと、該第二折り返し片１０ｂから内側に向く第三折り返し片１０ｃとを有しており、第一折り返し片１０ａ及び第三折り返し片１０ｃの両端部が、包装材１の切断部５の両側に平行するように、即ち切断部５を跨ぐように、且つ、切断部５に沿うように、熱シールされている。
【００２２】
そして、包装材１は、上述した各引掛凹部（接続部３及び折り目４）が蓋体２５の両角部に引っ掛けられることによって、蓋体２５の上面の略中央に切断部５が位置するようになっている。即ち、包装材１の各引掛凹部は、蓋付き容器２０に対する包装材１の位置決め手段になっている。また、包装材１は、切断部５及び接続部３によって、長短の帯状の領域に２分されている。
【００２３】
つぎに本実施形態に係る包装材１の使用態様について説明する。まず、図１の状態の包装材１、即ち折り返し片２が折り畳まれた状態の包装材１を、該折り返し片２の第一及び第二折り返し片２ａ，２ｂを引き延ばして略筒状にした包装材１を、蓋付き容器２０の外方を囲むように設けると共に、各引掛凹部（接続部３及び折り目４）を蓋体２５の両側の角部に引っ掛けると、包装材１は、図２に示すように、蓋体２５及び容器本体２１の底部に当接すると共に、蓋付き容器２０の両側方において大きく撓んだ状態になる。
【００２４】
但し、この撓みが大きすぎると、１回目の加熱が行われても、蓋付き容器２０に密着することがなく、蓋体２５が容器本体２１から外れるおそれがある。一方、撓みが小さすぎると、１回目の加熱による包装材１の熱収縮によって、蓋付き容器２０が括れるように変形してしまう。したがって、前記撓みは、１回目の加熱によって、蓋付き容器２０が変形しない程度に、蓋付き容器２０の底面及び側面、蓋体２５の上面に密着するようになっている。
【００２５】
そして、図２の状態で、食品工場のシュリンクトンネルに通過させて１回目の加熱が行われると、包装材１が熱収縮して、容器本体２１の底面及び側面と、蓋体２５の上面とに密着することになる。続いて、蓋体２５の上面（平面部）に位置している包装材１の部位に、商品情報が表示される。すなわち、当該部位に商品情報を記載したラベルが貼付されたり、商品情報が印刷されたりする。この商品情報は、例えば、商品名や消費期限、価格など必要最小限とすることにより、容器本体２１内に収容された食材を見やすいようにし、原材料名や製造元などの商品情報は、容器本体２１の底面に表示するようにしてもよい。上記工程が完了した後、蓋体２５が包装材によって外れないように固定された状態で、食品工場から出荷されて、コンビニエンスストアなどの店舗で販売される。
【００２６】
つぎに店舗などで電子レンジによって２回目の加熱が行われると、熱シールされた包装材１の接続部３において、同一方向に熱収縮が行われると共に、切断部５において、互いに異なる方向に熱収縮が行われ、該切断部５が切断されて、長短の帯状部に２分される。この際、複数の折り返し片１０ａ〜１０ｃで構成される接続片１０が引き延ばされて、各帯状部が所定の間隔をおいて接続される。即ち、２回目の加熱による分断によって、１回目の熱収縮による筒状体からのさらなる熱収縮ではなく、分断された帯状部が個別に熱収縮されるので、蓋付き容器２０に対する過大な熱収縮が回避されて、蓋付き容器２０に包装材１がきれいに密着することになる。
【００２７】
なお、本発明は、前記実施の形態に限定することなく、特許請求の範囲に記載した発明特定事項の範囲内において種々変更することができる。例えば、熱シールされた接続部３を引掛凹部として兼用するようにしたが、図５に示す包装材１Ａでは、蓋付き容器２０の角部に位置するように、折り目４０を形成しておき、この折り目４０を引掛凹部としている。この場合、接続部３０は、折り目４０に対して対角の位置、蓋付き容器２０の底部の角部近傍に形成する。
【００２８】
また、前記実施形態の場合、接続片１０を、切断部５を跨ぐように、且つ、切断部５に沿うように、複数の折り返し片１０ａ〜１０ｃで形成するようにしたが、所定の間隔をおいて複数設けるようにしてもよい。要は、切断部５によって切断された一対の帯状部が接続片１０によって接続できればよい。
【００２９】
また、前記実施形態の場合、接続片１０を、複数の折り返し片１０ａ〜１０ｃで形成するようにしたが、図６に示すように、平板状の接続片１００を円弧状に撓ませて形成するようにしてもよい。
【００３０】
また、前記実施形態の場合、包装材１の両端部を熱シールして接続部３を形成するようにしたが、図７に示すように、接続部３において、包装材１の一方の端部を外方に向かって延出して、摘み１ａを形成するようにしてもよい。この摘み１ａによって、蓋付き容器２０に密着した包装材１が接続部３から開封しやすくなる。
【符号の説明】
【００３１】
１，１Ａ…包装材、１ａ…摘み、２…折り返し片、２ａ，２ｂ…第一，第二折り返し片、３，３０…接続部（引掛凹部）、４，４０…折り目（引掛凹部）、５…切断部、１０，１００…接続片、１０ａ〜１０ｃ…第一〜第三折り返し片、２０…蓋付き容器、２１…容器本体、２２…嵌合凸部、２５…蓋体、２６…嵌合凹部。
【図１】
2010265022.tif 000003
【図２】
2010265022.tif 000004
【図３】
2010265022.tif 000005
【図４】
2010265022.tif 000006
【図５】
2010265022.tif 000007
【図６】
2010265022.tif 000008
【図７】
2010265022.tif 000009